(57)【要約】【課題】ループタイの飾り具を多様にすることと、飾り具として利用出来る物をもっと活用する為に、ループタイの飾り具を止め金に固着せず、服飾装身具などをループタイの飾り具として、違和感なく着脱出来る構造のループタイ用止め金を提供すること。【解決手段】ループタイ用止め金のＵ字筒体の周囲三面に、切欠と貫通口を設け、開放面側に、ループタイ紐がＵ字筒体から外れないように、しかし、紐１本ずつならば外せる隙間を持たせた、側面板から張り出した紐外れ防止覆いを設けたＵ字筒体と、止め板の曲り部中央部に貫通口を設けた止め板とから構成した、多種類飾り具対応のループタイ用止め金、及び止め板の機能を紐通し筒と飾りピンで行う方式の紐通し筒付止め金による、多種類飾り具対応のループタイ用止め金、を開発し、これらの切欠と貫通口と形状を利用し、必要に応じて取付補助具の飾りピンを使ったりして、各種ブローチ、スカーフ止め、ペンダントトップ、帯留め、飾りボタン、勲章など多種類の服飾装身具をループタイの飾り具として違和感なく着脱出来る構造と使い方にした。【選択図】    図１
2005066162.tif 000002
【特許請求の範囲】
【請求項１】
ブローチの止め金部で、ループタイ用止め金とループタイ紐を、横に挟み込めるピン針押込用切欠を、ループタイ用止め金の側面板に設けた構造、又は、ループタイ用止め金を縦又は斜めに、挟み込めるように、ループタイ用止め金の止め板に、ブローチのピン針を貫通させる貫通口を設けた構造、又は、ループタイ用止め金のＵ字筒体の開放面側に、ループタイ紐がＵ字筒体から外れないように、しかし、紐１本ずつならば外せる隙間を持たせた、側面板から張り出した紐外れ防止覆いを設けた構造、又は、ブローチ止め金の固着ビス頭対策、タックピン対策、及び飾りボタン対策用に、Ｕ字筒体の平面板の中心線上に、長形貫通口を設けた構造、又は、ペンダントの吊り輪部をループタイ用止め金に取り付けるために、Ｕ字筒体の平面板の上端中央に、切欠を設け、その両側面板に取り付け用飾りピン針を貫通させる孔を設けた構造、又は、小形のブローチ対策、ブローチ止め金の固着ビス２本頭対策、及び飾りボタン取り付けピン対策用に、Ｕ字筒体の平面板から両側面板にかけて貫通口を設けた構造を、特徴とするＵ字筒体と止め板とで構成する、多種類飾り具対応のループタイ用止め金。
【請求項２】
ブローチの止め金部で、ループタイ用止め金とループタイ紐を、横に挟み込めるピン針押込用切欠を、ループタイ用止め金の側面板に設けた構造、又は、ループタイ用止め金の紐通し筒付止め金の開放面側に、ループタイ紐が紐通し筒付止め金から外れないように、しかし、紐１本ずつならば外せる隙間を持たせた、側面板から張り出した紐外れ防止覆いを設けた構造、又は、ブローチ止め金の固着ビス頭対策、タックピン対策、及び飾りボタン対策用に、紐通し筒付止め金の平面板の中心線上に、長形貫通口を設けた構造、又は、ペンダントの吊り輪部をループタイ用止め金に取り付けるために、紐通し筒付止め金の平面板の上端中央に、切欠を設け、その両側面板に取り付け用飾りピン針を貫通させる孔を設けた構造、又は、小形のブローチ対策、ブローチ止め金の固着ビス２本頭対策、及び飾りボタン取り付けピン対策用に、紐通し筒付止め金の平面板から両側面板にかけて貫通口を設けた構造を、特徴とする紐通し筒付止め金で構成する、多種類飾り具対応のループタイ用止め金。
【請求項３】
両端を美しくデザインした、棒状の取り付け用飾りピンにより、ブローチ、ペンダントトップ、帯留め、飾りボタン、及び勲章などを、多種類飾り具対応のループタイ用止め金に、取り付け、ループタイの飾り具として、一体化させる使用方法。
【発明の詳細な説明】
【技術分野】
【０００１】
本発明は、服飾装身具をループタイ用の飾り具として、一時使用を可能にするための、ループタイ用止め金に関するものである。
【背景技術】
【０００２】
ループタイ用の飾り具はループタイ用止め金にビス又は接着剤で固着していて、飾り具を取り替えて使用する構造及び使い方ではなかった、したがって、他の服飾装身具をループタイ用の飾り具として、一時使用することは出来なかった。
【０００３】
わずかに、ループタイ用止め金に、安全ピン形取り付け方式のブローチを、着脱可能にした構造が公開されているだけである（特許文献１参照）、この構造は、ループタイ用止め金に、ブローチのピン針を通す孔を設けたものである。また着脱を容易にするため、固定用クリップ（特許文献２参照）及び固定用板バネ（特許文献３参照）を設けたものもある。
【０００４】
したがって、タックピン形取り付け方式のブローチ、クリップ形取り付け方式のスカーフ止め、吊り下げ方式のペンダントトップ、紐を通す方式の帯留め、縫い付ける方式の飾りボタン、等の飾り具をループタイ用の飾り具として、取り替えて使用する構造及び使い方はなかった。
【特許文献１】特開平９−２５００１４号
【特許文献２】特開平１０−５０１２号
【特許文献３】特開平１０−１１０３１１号
【発明の開示】
【発明が解決しようとする課題】
【０００５】
公開されている前記安全ピン形取り付け方式のブローチを、ループタイ用止め金に取り付ける構造が、ループタイ用止め金の表面にピン針を通す孔、又はピン針の固定用部材を設ける方式のため、ループタイ用止め金の表面からブローチが二階建てのように分厚くなり、美観を損ね、またブローチがぶらついて不安定である。
【０００６】
更に、ループタイ用止め金の側面にピン針を通す孔を設け、ブローチの形状に対応してピン針を貫通させる方法ではループタイの紐をも刺し通す欠点がある。
【０００７】
もっと広く、ループタイ用の飾り具に出来るブローチの止め金にも、多種多様な構造が有り、加えて、スカーフ止め、ペンダントトップ、帯留め、飾りボタン、勲章などにも対応出来る一時的に着脱可能なループタイ用止め金を提供することを、解決すべき課題としている。
【課題を解決するための手段】
【０００８】
公開された案の一つ目の欠点は、二階建てのように分厚くなり、いかにも、別物を借用している外観となり美観を損ね、またブローチがぶらついて不安定なことである。これに対して本発明の多種類飾り具対応のループタイ用止め金は、止め金の表面と飾り具の裏面とを密着させて固定するため、一体化した外観となり不自然さは無くなり、ぶらつきも無くなった。
【０００９】
公開された案の二つ目の欠点は、ピン針を貫通させる時にループタイの紐をも刺し通すことである。これは、紐が、挿通筒と言う紐通しに入っていてピン針を避けることが出来ないためである。これに対して本発明の多種類飾り具対応のループタイ用止め金は、紐外      れ防止覆いを設け、紐を簡単に一時退避できる構造にして解決した。
【００１０】
公開された案は、飾り具として安全ピン形取り付け方式のブローチのみを対象にしているが、対象範囲が狭い、本発明の多種類飾り具対応のループタイ用止め金は、各種ブローチ、スカーフ止め、ペンダントトップ、帯留め、飾りボタン、勲章などにも対応出来るように対象範囲を広げた構造及び使い方で解決した。
【００１１】
本発明の、多種類飾り具対応のループタイ用止め金の止め板方式は、周囲三面に切り欠けと貫通口を有し、開放面には紐外れ防止覆いを有するＵ字筒体と、中央部に貫通口を有する止め板とから成り、Ｕ字筒体両側面の回転軸孔に止め板の回転軸をはめ込み、周囲三面と止め板との間を、二つ折にした紐体を通し、任意な位置で止め板によって紐体を圧接固定する構造である。
【００１２】
本発明の、多種類飾り具対応のループタイ用止め金の紐通し筒方式は、周囲三面に切り欠けと貫通口を有し、開放面には紐外れ防止覆いと紐通し筒とから成り、紐通し筒にループタイ紐を通し、任意な位置で紐体を摩擦圧接固定する構造である。
【００１３】
上記の切り欠けと貫通口と形状を利用し、取り付け補助具として、飾りピンを使ったりして、各種ブローチ、スカーフ止め、ペンダントトップ、帯留め、飾りボタン、勲章など多種類の飾り具を、本発明の多種類飾り具対応のループタイ用止め金に、違和感無く着脱して、ループタイの飾り具として活用できる構造及び使い方で解決したものである。次に個々の種類別飾り具に対応するための手段について説明する。
【００１４】
ブローチを着脱する構造は、ブローチ止め金の種類とブローチ裏面への取り付け方法とによっても異なる。裏面への取り付け方法が接着剤固定の物は問題ないが、ビス止めなどの物はビス頭部が出っ張っているため、ループタイ用止め金表面とブローチ裏面との間に隙間が出来て、密着性と安定性が損なわれる、その解決策として、Ｕ字筒体又は紐通し筒付止め金に、貫通口を設けた構造を特徴とし、取り付けビス頭部などが出っ張っているブローチ止め金に対応する。
【００１５】
Ｕ字筒体又は紐通し筒付止め金の両側面にピン針押し込み用切欠を設け、多種類飾り具対応のループタイ用止め金の裏面とブローチの裏面とを合わせて、これをループタイ紐と同時に横に挟み込むように、ブローチの横形ピン針で押し込み固定する、このように、Ｕ字筒体又は紐通し筒付止め金の両側面にピン針押込用切欠を設けた構造を特徴とし、ブローチのピン針が横構造のブローチに対応する。
【００１６】
また、止め板方式の、ループタイ用止め金の止め板に、ブローチのピン針を貫通させる貫通口を設け、多種類飾り具対応のループタイ用止め金の表面とブローチの裏面とを合わせて、ループタイ紐を挟むこと無く、ループタイ用止め金を縦に挟み込み固定する、このように、ループタイ用止め金の止め板に、ブローチのピン針を貫通させる貫通口を設けた構造を特徴とし、ブローチのピン針が縦構造のブローチに対応する。
【００１７】
また、紐通し筒方式の、ループタイ用止め金では、飾りピンをピン針押込用切欠に差し渡し、そのピンの上をブローチの縦形ピン針で、ループタイ紐を挟むこと無く、多種類飾り具対応のループタイ用止め金の表面とブローチの裏面とを合わせて固定する、このような、構造及び使い方を特徴とし、ブローチのピン針が縦構造のブローチに対応する。
【００１８】
また、止め板方式の、ループタイ用止め金では、Ｕ字筒体開放面に設けた紐外れ防止覆いと、前記Ｕ字筒体両側面に設けたピン針押込用切欠との間、又は、止め板の貫通口と、前記ピン針押込用切欠との間に、ブローチのピン針を斜めに差し渡す形で、ループタイ紐と同時に挟み込むように、多種類飾り具対応のループタイ用止め金の表面とブローチの裏面とを合わせて固定する、このような、構造及び使い方を特徴とし、ブローチのピン針が斜め構造のブローチに対応する。
【００１９】
また、紐通し筒方式の、ループタイ用止め金では、紐通し筒付止め金開放面に設けた紐外れ防止覆いと、両側面に設けたピン針押込用切欠との間に、ブローチのピン針を斜めに差し渡す形で、ループタイ紐と同時に挟み込むように多種類飾り具対応のループタイ用止め金の表面とブローチの裏面とを合わせて固定する、このような、構造及び使い方を特徴とし、ブローチのピン針が斜め構造のブローチに対応する。
【００２０】
また、Ｕ字筒体又は紐通し筒付止め金の平面板に、タックピン方式のピン針をも貫通させる貫通口を設け、更に、前記の紐外れ防止覆いを活用し、多種類飾り具対応のループタイ用止め金の表面側から、ループタイの紐を刺し通すこと無くピン針を貫通させ固定する、このような、構造及び使い方を特徴とし、タックピン方式のブローチに対応する。
【００２１】
また、クリップ式スカーフ止めのクリップ枠先端部を、Ｕ字筒体又は紐通し筒筒付止め金の両側面に設けたクリップ用切欠２箇所と、止め金の止め板に設けた貫通口１箇所又は紐通し筒の端部との３点で、多種類飾り具対応のループタイ用止め金をクリップ枠の内側に挟み込んで固定する、このような、構造及び使い方を特徴とし、クリップ式スカーフ止めに対応する。
【００２２】
更に、ペンダントトップの吊輪部が、多種類飾り具対応のループタイ用止め金の上部に取付けられるように、Ｕ字筒体又は紐通し筒付止め金の平面板の上端中央に、ペンダントトップ用切欠設け、またそのＵ字筒体又は紐通し筒付止め金の両側面に取付用ピン針を貫通させる貫通孔を数組設け、ペンダントの吊輪部の形と大きさに応じて、装飾性有る棒状の飾りピンを貫通させて固定する、このような、構造及び使い方を特徴とし、ペンダントトップに対応する。
【００２３】
更に、帯留めの２個の紐通し輪の間に本発明の両方式の多種類飾り具対応のループタイ用止め金を縦に置き、棒状の飾りピンを２個の紐通し輪の間とＵ字筒体又は紐通し筒付止め金の両側面に設けたピン針押込用切欠に通し固定する、このような、使い方を特徴とし、帯留めの横使用に対応する。また、帯留めを縦に置き、ループタイ紐を一旦外した本発明の止め板方式の、多種類飾り具対応のループタイ用止め金を、帯留めの２個の紐通し輪と多種類飾り具対応のループタイ用止め金の紐通しとを合わせて置き、ループタイ紐を連通させて固定する、このような、構造及び使い方を特徴とし、帯留めの縦使用に対応する。
【００２４】
最後に、飾りボタンの取付環用に、Ｕ字筒体又は紐通し筒付止め金の平面板の中央部に長形貫通口を設け、更に、取付用ピン針を貫通させるため、Ｕ字筒体又は紐通し筒付止め金の平面板から両側面にかけて曲り部貫通口を設け、前記長形貫通口から、飾りボタンの取付環を差込み、前記棒状の飾りピンを曲り部貫通口から取付環に通し固定する、このような、構造及び使い方を特徴とし、飾りボタンに対応する。
【発明の効果】
【００２５】
本発明の、多種類飾り具対応のループタイ用止め金は、止め金の表面と飾り具の裏面とを密着させて固定するため、一体化した外観となり不自然さは無くなり、ぶらつきも無くなった。
【００２６】
また、紐外れ防止覆いを設け、紐を簡単に一時退避できる構造にしたので、ループタイの紐を刺し通すこと無く、ピン針での取り付けが出来るように成った。
【００２７】
本発明の、多種類飾り具対応のループタイ用止め金は、周囲三面に切り欠けと貫通口を設けた構造、開放面には紐外れ防止覆いを設けた構造のＵ字筒体又は紐通し筒付止め金と、止め板方式では、止め板の曲り部中央部に貫通口を設けた構造にしたことにより、各種ブローチの取り付けが出来るようになった、更に、取付補助具の、飾りピンを併用して、ペンダントトップ、帯留め、飾りボタン、勲章などにも対象範囲を広げ対応出来るように成った。
【発明を実施するための最良の形態】
【００２８】
本発明の、多種類飾り具対応のループタイ用止め金は、小形の飾り具をも取り付け出来るように、強度と機能を損なわない範囲で、小さく製作し、更に飾り具の品格を傷つけないように、美しい表面仕上げにし、併用する飾りピンも美しく加工する。また、大形の飾り具をバランス良く取り付け出来るように、ブローチピン位置決め用補助短管を使用すれば良い。
【実施例１】
【００２９】
本発明の、止め板方式の、多種類飾り具対応のループタイ用止め金の全体構成は、図２に示すようなＵ字筒形のＵ字筒体Ａと、図３に示すようなへの字形の止め板Ｂから成り、図１に示すように止め板用軸孔４に止め板回転軸５を嵌め込み、両方を組み合わせた構造である。Ｕ字筒体Ａの三面に図６及び図７に示すように、飾り具の取り付けに必要な切り欠け、つまり、ピン針押込用切欠１０とクリップ用切欠１１とペンダントトップ用切欠１３を設け、更に貫通する各種の穴、つまり、止め板用軸孔４、高貫通孔１２、低貫通孔１４、奥貫通孔１５、長形貫通口１６、曲部貫通口１７が有る。Ｕ字筒体Ａの開放面側にはループタイ紐９が、Ｕ字筒形から外れないように、Ｕ字筒体の両側面板２から張り出した紐外れ防止覆い３が有る。図３に示すようにへの字形の止め板Ｂには、止め板回転軸５を頂点に、止め板つまみ６と紐押さえ７の部分から成り、その頂点中央部に止め板貫通口８を設ける。図６はＵ字筒体Ａの正面図、図７はＵ字筒体Ａの側面図であるが左右対面して表れる。
【００３０】
本発明の、紐通し筒方式の、多種類飾り具対応のループタイ用止め金の全体構成は、図２８、図２９、図３０に示すような構成で、図２８の紐通し筒２０が止め板方式との差異である、つまり、止め板を用いず、側面板２の下部をループタイ紐９よりも小径に筒状に曲げた紐通し筒２０を設け、その中にループタイ紐９を通し、摩擦力によって止め金の位置を保つようにした構造である。紐通し筒付止め金Ｓの三面に図２８及び図２９に示すように、飾り具の取り付けに必要な切り欠け、つまり、ピン針押込用切欠１０とクリップ用切欠１１とペンダントトップ用切欠１３を設け、更に貫通する各種の穴、つまり、高貫通孔１２、低貫通孔１４、奥貫通孔１５、長形貫通口１６、曲部貫通口１７が有る。紐通し筒付止め金Ｓの開放面側にはループタイ紐９が、紐通し筒付止め金Ｓから外れないように、紐通し筒付止め金Ｓの両側面板２から張り出した紐外れ防止覆い３が有る。図２８は紐通し筒付止め金の正面図、図２９は紐通し筒付止め金の側面図であるが左右対面して表れる、図３０は紐通し筒付止め金の斜視図である。
【実施例２】
【００３１】
また、飾り具の種類によっては、Ｕ字筒体Ａ又は紐通し筒付止め金Ｓに飾り具を取り付ける為の補助具として図４に示すような、棒状の飾りピンＣが必要になる。飾りピンＣの両端は、取り付けた飾り具の後ろから、はみ出して見える場合も有るので、装飾性の有る物が望ましい。図４に示すように、飾りピンＣは飾りピン針１８と飾りピン先受１９とから成るが、両端ともピン先受構造でも良いし、片端をピン針に固着しこれ自身に装飾加工すればループタイ全体として、更に装飾性が増す。
【実施例３】
【００３２】
更に、安全ピン形取付方式の大形ブローチで、ピン針とブローチ裏面との隙間が大きい物は、高貫通孔１２にブローチのピン針を通して取り付けるが、左右にずれ動き中心に定まらない為、図５に示すような、ブローチピン位置決め用補助短管Ｄを、ブローチのピン針に差込み、Ｕ字筒体Ａ又は紐通し筒付止め金Ｓが大形ブローチの中心に位置するように、調整する。
【実施例４】
【００３３】
ブローチのピン針が横構造のブローチに対応する例について説明する。図８にピン針が横構造のブローチに対する一般概念を示し、飾り具裏側にブローチ横形ピン金具Ｅが固着されていて、横ピン針１Ｅとピン先受２Ｅが有る。本発明のピン針押込用切欠10に、横ピン針１Ｅを入れループタイ紐９とを共に挟み込む形でピン先受２Ｅで固定すると、図９に示すようにループタイの飾り具として使用できる。
【実施例５】
【００３４】
ブローチのピン針が縦構造のブローチに対応する例について説明する。図１０にピン針が縦構造のブローチに対する一般概念を示し、飾り具裏側にブローチ縦形ピン金具Ｆが固着されていて、縦ピン針１Ｆとピン先受２Ｆが有る。止め板方式は、本発明の止め板Ｂに有る止め板貫通口８に縦ピン針１Ｆを通し、ループタイ紐９を挟み込まないようにピン先受２Ｆで固定すると、図11に示すようにループタイの飾り具として使用できる。
【００３５】
紐通し筒方式では、飾りピンＣの飾りピン針１８を、ピン針押込用切欠10に差し渡し、そのピン針１８の上をブローチ縦形ピン金具Ｆの縦ピン針１Ｆでループタイ紐９を挟み込まないようにピン先受２Ｆで固定すると、図３１に示すようにループタイの飾り具として使用できる。
【実施例６】
【００３６】
ブローチのピン針が斜め構造のブローチに対応する例について説明する。図１２にピン針が斜め構造のブローチに対する一般概念を示し、飾り具裏側にブローチ斜め形ピン金具Ｇが固着されていて、斜めピン針１Ｇとピン先受２Ｇが有る。本発明の紐外れ防止覆い３と対面側の側面板に有るピン針押込用切欠10に斜めピン針１Ｇを渡し、ループタイ紐９とを共に斜めに挟み込む形でピン先受２Ｇによって固定すると、図１３に示すようにループタイの飾り具として使用できる。又、止め板方式は、止め板Ｂに有る止め板貫通口８に斜めピン針１Ｇを通し、ループタイ紐９とを共に斜めに挟み込む形でピン先受２Ｇによって固定すると、少し下がった位置にループタイの飾り具として使用できる。
【実施例７】
【００３７】
ブローチ飾り具にブローチ止め金を、固着する為にビス頭などの凸部の有るブローチに対応する例について説明する。図1４に取付ビス２本頭の止め金Ｈと、取付ビス１本頭の止め金Ｊと、回転軸頭の止め金Ｋの３種類のブローチ止め金に対応する一般概念を示し、横形ブローチには、本発明の平面板１と側面板２の曲部に設けた曲部貫通口１７に取付ビス２本頭の止め金Ｈの２本頭を入れて対応し、また、縦形ブローチには、ペンダントトップ用切欠１３と長形貫通口１６に止め金Ｈの２本頭を入れて対応するので、本発明の多種類飾り具対応のループタイ用止め金への取り付け密着度を向上できる。同様に長形貫通口１６に止め金Ｊの１本頭、又は止め金Ｋの回転軸頭を入れることで、中心合わせと取り付け密着度を向上できる。特に取付ビス１本頭の止め金Ｊのブローチは、小さなものが多く、前記のようなピン針押込用切欠10に、横ピン針１Ｅを入れループタイ紐９とを共に挟み込む形でピン先受２Ｅで固定する方式の取り付けは、無理な場合が多い。このような場合には、本発明の低貫通孔１４に横ピン針１Ｅを入れピン先受２Ｅで固定するか、または、曲部貫通口１７に横ピン針１Ｅを入れピン先受２Ｅで固定する、横ピン針１Ｅを通すには、ループタイ紐９を刺さないように、ループ側の紐を、紐外れ防止覆い３から片方づつ一時外して持ち上げ、紐をピン先で刺さないようにすることが出来る。
【実施例８】
【００３８】
ブローチのピン針がタックピン構造のブローチに対応する例について説明する。図１５にタックピン方式のブローチに対する一般概念を示し、飾り具裏側にタックピン針１Ｌが固着されていて、タックピン針先受２Ｌで服装に取り付ける構造のタックピン金具Ｌとなっている。本発明の長形貫通口１６の先端にタックピン針１Ｌを差し通すのであるがループタイ紐９を刺さないように、ループ側の紐を、紐外れ防止覆い３から片方を一時外して持ち上げ止め板Ｂ側又は紐通し筒２０側へ押し付け、次にタックピン針１Ｌを長形貫通口１６の先端からＵ字筒体又は紐通し筒筒付止め金の内側に残っている紐を刺さないように、差し通し、そのタックピン針１Ｌで紐を押し付けるような状態に傾けて、次に外していた紐を紐外れ防止覆い内に戻し、タックピン針先受２Ｌでループタイ紐９を挟み込み固定すると、図1６に示すようにループタイの飾り具として使用できる。
【実施例９】
【００３９】
クリップ方式のスカーフ止めに対応する例について説明する。図１７にクリップ方式のスカーフ止めに対する一般概念を示し、飾り具裏側にクリップ形スカーフ止め金具Ｍが固着されていて、バネ系開閉部１Ｍを支軸に押し板２Ｍが有り、この押し板２Ｍには先端部３Ｍと中央空間部４Ｍが有る。本発明の止め板方式は、Ｕ字筒体の両側面板２に設けたクリップ用切欠１１の２箇所と、止め板Ｂに設けた止め板貫通口８の１箇所との３点で、押し板２Ｍの先端部３Ｍを支え、Ｕ字筒体の上半分が中央空間部４Ｍ内に入った状態で飾り具裏側に、固定される、ループタイ紐９のループ側の紐は押し板２Ｍとバネ系開閉部１Ｍの両脇下を紐外れ防止覆い３でガードされてくぐり抜ける構成となり、図1８に示すようにループタイの飾り具として使用できる。紐通し筒方式では、クリップ用切欠１１の２箇所と、紐通し筒２０の上端部との３点で、押し板２Ｍの先端部３Ｍを支え、紐通し筒付止め金Ｓの上半分が中央空間部４Ｍ内に入った状態で飾り具裏側に、固定される、ループタイ紐９のループ側の紐は押し板２Ｍとバネ系開閉部１Ｍの両脇下を紐外れ防止覆い３でガードされてくぐり抜ける構成となり、図３２に示すようにループタイの飾り具として使用できる。
【実施例１０】
【００４０】
ペンダントトップの吊輪部が縦形金具のペンダントトップに対応する例について説明する。図１９に吊り下げ方式が縦形金具のペンダントトップに対する一般概念を示し、飾り具裏側上部に輪状のペンダントトップ縦形金具Ｎを固着している。本発明のＵ字筒体又は紐通し筒付止め金の平面板１の上部に設けたペンダントトップ用切欠１３にペンダントトップ縦形金具Ｎを掛け、その輪状の中と両側面板２に設けた低貫通孔１４、とに、棒状の飾りピンＣの飾りピン針１８を差し通し、飾りピン針受１９で固定すると、図２０に示すようにループタイの飾り具として使用できる。
【実施例１１】
【００４１】
バチカンなど中間リングが必要な横形金具のペンダントトップに対応する例について説明する。図２１にバチカンなど中間リングが必要な横形金具のペンダントトップに対する一般概念を示し、ペンダントトップバチカン付横形金具Ｐは、ペンダントトップに固着したペンダントトップ横形金具１Ｐが、横形のためチェーンを通して吊り下げるにはバチカン２Ｐと併用する構造となっている。本発明のＵ字筒体又は紐通し筒付止め金の平面板１の上部に設けたペンダントトップ用切欠１３にバチカン２Ｐなど中間リングを掛け、この中間リングの中と両側面板２に設けた奥貫通孔１５、大きい中間リングの場合には高貫通孔１２とに、棒状の飾りピンＣの飾りピン針１８を差し通し、飾りピン針受１９で固定すると、図２２に示すようにループタイの飾り具として使用できる。また、この応用として、勲章もループタイの飾り具として使用できる。
【実施例１２】
【００４２】
帯留めに対応する例について説明する。図２３に帯留めに対する一般概念を示し、帯留め金具Ｑは飾り具の裏側に２個のコの字形をした紐通し金具１Ｑを固着している。帯留めを本来の姿勢である横向きに使うには、本発明の止め金の側面板２が紐通し金具１Ｑと平行になるように紐通し金具１Ｑの間に置き、ピン針押込用切欠１０に飾りピン針１８を紐通し金具１Ｑの内側を通して飾りピン針受１９で固定すると、図２４に示すようにループタイの飾り具として使用できる。
【実施例１３】
【００４３】
また、帯留めを縦にして使うには、帯留め紐の通る方向軸と、Ｕ字筒体Ａ又は紐通し筒付止め金の紐の通る方向軸とを合わせて、紐通し金具１Ｑの間に置き、ループタイ紐９で両方を連通して一体化固定すると、図２５に示すようにループタイの飾り具として使用できる。しかし、ループタイ紐９の端部飾りが大きくて、紐通し金具１Ｑを通らない場合は、止め板方式では、本発明の止め金のループタイ紐９を一旦引き抜いて、連通出来るが、紐通し筒方式では、ループタイ紐９を引き抜けないため、帯留めを縦にしてはループタイの飾り具として使用できない。
【実施例１４】
【００４４】
最後に、飾りボタンに対応する例について説明する。図２６に飾りボタンに対する一般概念を示し、飾り具の裏側に、縫い付けるための飾りボタン取付環Ｒを固着している。本発明の止め金のループ側の紐を、紐外れ防止覆い３から一時外して持ち上げ止め板Ｂ側又は紐通し筒２０側へ押し付け折り曲げ、平面板１の長形貫通口１６に飾りボタン取付環Ｒを差し込み、その環の中と両方の曲部貫通口１７とを飾りピン針１８を貫通させ、飾りピン針受１９で固定した上で、ループ側の紐を戻し直すと、図２７に示すようにループタイの飾り具として使用できる。
【産業上の利用可能性】
【００４５】
以上のような、構造と構成及び使い方により従来技術の欠点を解決し、更に、多種類の服飾装身具類をループタイ用飾り具に応用活用できるように成った。ブローチ、スカーフ止め、ペンダントトップ、帯留めなど、女性が主体であった服飾装身具類を、男性主体のループタイ用飾り具に一時借用出来るようになったので、各家庭の手持ち服飾装身具類の稼働率が良くなり、男女共用の思想が生じ、夫婦間での購買意欲が高まるし、売り手側も薦め易くなる。更に、女性にもループタイの愛好家が広まるので、全体的な経済効果も出る。この発明による具体的な活用例は、次のように成る。
【００４６】
従来技術で、安全ピン形取り付け方式のブローチを、ループタイ用飾り具として活用する場合に、分厚くなりぶらつき、いかにも、別物を借用している外観と成る欠点、及びループタイの紐をも刺し通す欠点が有ったのを、次のような構造つまり、ブローチの止め金部で、ループタイ用止め金とループタイ紐を、横に挟み込めるピン針押込用切欠を、ループタイ用止め金の両方の側面板に設けた構造、の発明及び、次のような構造つまり、ループタイ用止め金のＵ字筒体又は紐通し筒付止め金の開放面側に、ループタイ紐がＵ字筒体又は紐通し筒付止め金から外れないように、しかし、紐１本ずつならば外せる隙間を持たせた、側面板から張り出した紐外れ防止覆いを設けた構造を、特徴とする多種類飾り具対応のループタイ用止め金の発明により、ループタイの紐を刺し通すこと無く、密着一体化の外観に出来たことにより、安全ピン形取付方式のブローチを、ループタイ用飾り具として活用出来る。
【００４７】
タックピン形取付方式のブローチを、ループタイ用飾り具として活用する従来技術は無く、次のような構造つまり、紐外れ防止覆いを設けた構造の発明、及び次のような構造つまり、ブローチ止め金の固着ビス頭対策、タックピン対策、及び飾りボタン対策用に、Ｕ字筒体又は紐通し筒付止め金の平面板の中心線上に、長形貫通口を設けた構造の発明により、タックピン形取り付け方式のブローチ、ネクタイピン、バッジ、勲章をもループタイ用飾り具として活用出来る。
【００４８】
クリップ形取付方式のスカーフ止めを、ループタイ用飾り具として活用する従来技術は無く、次のような構造つまり、Ｕ字筒体又は紐通し筒付止め金の両側面に設けたクリップ用切欠と、止め板に設けた止め板貫通口の発明及び、次のような構造つまり、両方の側面板から張り出した紐外れ防止覆いを設けた構造の発明によりクリップ形取付方式のスカーフ止めを、ループタイ用飾り具として活用出来る。
【００４９】
吊り下げ形取付方式のペンダントトップを、ループタイ用飾り具として活用する従来技術は無く、次のような構造つまり、ペンダントの吊り輪部をループタイ用止め金に取り付けるために、Ｕ字筒体又は紐通し筒付止め金の平面板の上端中央に、切欠を設け、その両側面板に、取り付け用の飾りピン針を貫通させる孔を設けた構造の発明、及び、次のような使用方法つまり、両端を美しくデザインした、棒状の取り付け用飾りピンにより、ペンダントトップを、多種類飾り具対応のループタイ用止め金に、取り付け、ループタイの飾り具として一体化させる使用方法の発明により、吊り下げ形取付方式のペンダントトップ、また、この応用として、勲章をもループタイ用飾り具として活用出来るようになる。骨董市で美しい勲章を見かけるが、思い出品、又は美術工芸品としてループタイ用飾り具の需要が増し活用出来る。
【００５０】
帯紐で取り付る方式の帯留めを、ループタイ用飾り具として活用する従来技術は無く、次のような構造つまり、ピン針押込用切欠を、ループタイ用止め金の両方の側面板に設けた構造の発明、及び次のような使用方法つまり、両端を美しくデザインした、棒状の取り付け用飾りピンにより、帯留めを、多種類飾り具対応のループタイ用止め金に、取り付け、ループタイの飾り具として、一体化させる使用方法、の発明により帯留めを、ループタイ用飾り具として活用出来るようになる。この新しい活用先を得て、使用頻度の少なくなった帯留めにも活用の場が広がる。
【００５１】
取付環で縫い付ける取付方式の飾りボタンを、ループタイ用飾り具として活用する従来技術は無く、次のような構造つまり、紐外れ防止覆いを設けた構造の発明、及び、平面板１に長形貫通口１６を設けた構造の発明、及び、曲部貫通口１７を設けた構造の発明、及び次のような使用方法つまり、両端を美しくデザインした、棒状の取り付け用飾りピンにより、飾りボタンを、本発明の多種類飾り具対応のループタイ用止め金に、取り付け、ループタイの飾り具として、一体化させる使用方法の発明により飾りボタンを、ループタイ用飾り具として活用出来る。この新しい活用先を得て、飾りボタン業界にも経済効果をもたらす。学生服、高級ビジネススーツのボタンを、思い出の一つ又は希望の星として、ループタイ用飾り具にして女学生にも愛用願いたい。
【図面の簡単な説明】
【００５２】
【図１】本発明品である、止め板方式の、多種類飾り具対応のループタイ用止め金、の斜視図である。
【図２】本発明品を構成する、Ｕ字筒体、の斜視図である。
【図３】本発明品を構成する、止め板、の斜視図及び、平面図である。
【図４】本発明品をペンダントトップ、帯留め、飾りボタンと組合わせて使用する場合の結合補助具である、飾りピン、の斜視図及び、平面図である。
【図５】本発明品を大形ブローチと組み合わせて使用する場合の、ブローチ位置決め用の補助短管、の斜視図である。
【図６】本発明品を構成する、Ｕ字筒体、の正面図である。
【図７】本発明品を構成する、Ｕ字筒体、の側面図であり、左右図は対称に表れる。
【図８】組み合わせて使用できる、ピン針が横構造のブローチ、の概略正面図である。
【図９】ループタイ用飾り具として、ピン針が横構造のブローチを組み込んだ概略正面図である。
【図１０】組み合わせて使用できる、ピン針が縦構造のブローチ、の概略正面図である。
【図１１】ループタイ用飾り具として、ピン針が縦構造のブローチを組み込んだ概略正面図である。
【図１２】組み合わせて使用できる、ピン針が斜め構造のブローチ、の概略正面図である。
【図１３】ループタイ用飾り具として、ピン針が斜め構造のブローチを組み込んだ概略正面図である。
【図１４】取付凸部の有るブローチ止め金３種類の概略斜視図である。
【図１５】組み合わせて使用できる、ピン針がタックピン構造のブローチ、の概略斜視図である。
【図１６】ループタイ用飾り具として、ピン針がタックピン構造のブローチを組み込んだ概略正面図である。
【図１７】組み合わせて使用できる、装着がクリップ構造のスカーフ止め、の概略正面図である。
【図１８】ループタイ用飾り具として、装着がクリップ構造のスカーフ止めを組み込んだ概略正面図である。
【図１９】組み合わせて使用できる、吊輪部が縦形金具のペンダントトップ、の概略斜視図である。
【図２０】ループタイ用飾り具として、吊輪部が縦形金具のペンダントトップを組み込んだ概略正面図である。
【図２１】組み合わせて使用できる、吊輪部がバチカン付横形金具のペンダントトップ、の概略斜視図である。
【図２２】ループタイ用飾り具として、吊輪部がバチカン付横形金具のペンダントトップを組み込んだ概略正面図である。
【図２３】組み合わせて使用できる、帯留め、の概略斜視図である。
【図２４】ループタイ用飾り具として、帯留めを横に組み込んだ概略正面図である。
【図２５】ループタイ用飾り具として、帯留めを縦に組み込んだ概略正面図である。
【図２６】組み合わせて使用できる、飾りボタン、の概略斜視図である。
【図２７】ループタイ用飾り具として、飾りボタンを組み込んだ概略正面図である。
【図２８】本発明品を構成する、紐通し筒付止め金、の概略側面図である。
【図２９】本発明品を構成する、紐通し筒付止め金、の概略正面図である。
【図３０】本発明品を構成する、紐通し筒付止め金、の概略斜視図である。
【図３１】ループタイ用飾り具として、ピン針が縦構造のブローチを紐通し筒付止め金に組み込んだ概略正面図である。
【図３２】ループタイ用飾り具として、装着がクリップ構造のスカーフ止めを紐通し筒付止め金に組み込んだ概略正面図である。
【符号の説明】
【００５３】
Ａ：Ｕ字筒体
Ｂ：止め板
Ｃ：飾りピン
Ｄ：補助短管
Ｅ：ブローチ横形ピン金具
Ｆ：ブローチ縦形ピン金具
Ｇ：ブローチ斜め形ピン金具
Ｈ：取付ビス２本頭ブローチピン金具
Ｊ：取付ビス１本頭ブローチピン金具
Ｋ：回転軸頭ブローチピン金具
Ｌ：タックピン金具
Ｍ：クリップ形スカーフ止め金具
Ｎ：ペンダントトップ縦形金具
Ｐ：ペンダントトップバチカン付横形金具
Ｑ：帯留め金具
Ｒ：飾りボタン取付環
Ｓ：紐通し筒付止め金
１：平面板
２：側面板
３：紐外れ防止覆い
４：止め板用軸孔
５：止め板回転軸
６：止め板つまみ
７：紐押さえ
８：止め板貫通口
９：ループタイ紐
１０：ピン針押込用切欠
１１：クリップ用切欠
１２：高貫通孔
１３：ペンダントトップ用切欠
１４：低貫通孔
１５：奥貫通孔
１６：長形貫通口
１７：曲り部貫通口
１８：飾りピン針
１９：飾りピン先受
２０：紐通し筒
【図１】
2005066162.tif 000003
【図２】
2005066162.tif 000004
【図３】
2005066162.tif 000005
【図４】
2005066162.tif 000006
【図５】
2005066162.tif 000007
【図６】
2005066162.tif 000008
【図７】
2005066162.tif 000009
【図８】
2005066162.tif 000010
【図９】
2005066162.tif 000011
【図１０】
2005066162.tif 000012
【図１１】
2005066162.tif 000013
【図１２】
2005066162.tif 000014
【図１３】
2005066162.tif 000015
【図１４】
2005066162.tif 000016
【図１５】
2005066162.tif 000017
【図１６】
2005066162.tif 000018
【図１７】
2005066162.tif 000019
【図１８】
2005066162.tif 000020
【図１９】
2005066162.tif 000021
【図２０】
2005066162.tif 000022
【図２１】
2005066162.tif 000023
【図２２】
2005066162.tif 000024
【図２３】
2005066162.tif 000025
【図２４】
2005066162.tif 000026
【図２５】
2005066162.tif 000027
【図２６】
2005066162.tif 000028
【図２７】
2005066162.tif 000029
【図２８】
2005066162.tif 000030
【図２９】
2005066162.tif 000031
【図３０】
2005066162.tif 000032
【図３１】
2005066162.tif 000033
【図３２】
2005066162.tif 000034